(57)【要約】【課題】高速回転速度領域での主軸のたわみ等の変形を矯正し、当該主軸の低振動化および静音化に寄与する、ロックナットを提供することである。【解決手段】複数のバランス調整用ねじ穴３８にバランス調整用セットスクリュー４６が装着されると、主軸５０の回転バランスが調整され、主軸５０を含む回転系のラジアル方向へのがたつきが防止される。バランス調整用セットスクリュー４６を装着済みのバランス調整用ねじ穴３８に制振用スクリュープラグ４８が装着されると、バランス調整用セットスクリュー４６と制振用スクリュープラグ４８との協働作用により、当該回転系の振動がより一層低減され、且つ、バランス調整用ねじ穴３８が制振用スクリュープラグ４８により閉塞されるため、非閉塞状態にある場合に比べて、風切り音による騒音の発生が低減され、主軸５０の回転中の騒音を静音化することが可能となっている。【選択図】図１
2009281426.tif 000002
【特許請求の範囲】
【請求項１】
工作機械の主軸の雄ねじ部に螺合され、前記主軸に取付けられた被固定部材を位置決め固定するロックナットであって、
その内周面に前記主軸の雄ねじ部と螺合される雌ねじ部を有するロックナット本体、
前記ロックナット本体の軸方向の一端側に形成され、前記被固定部材を前記主軸の軸方向に押圧する座面、
前記ロックナット本体の軸方向の他端側に形成される頂面、
前記ロックナット本体の頂面の円周方向に所定の間隔を隔てて、且つ、前記頂面から前記ロックナット本体の軸方向に延びて配設される複数のバランス調整用のねじ穴、
前記ロックナット本体の頂面側から前記バランス調整用のねじ穴に装着され、前記主軸の回転バランスを調整するバランス調整用セットスクリュー、および
前記バランス調整用セットスクリューが装着されたバランス調整用のねじ穴に、前記バランス調整用のねじ穴を閉塞するようにして装着され、前記主軸の回転時の振動を低減させる制振用スクリュープラグを含むことを特徴とする、ロックナット。
【請求項２】
前記主軸に取付けられた前記被固定部材を、前記請求項１に記載の前記ロックナットにより位置決め固定することによって、前記主軸の回転バランスを調整することを特徴とする、主軸の回転バランス調整構造。
【発明の詳細な説明】
【技術分野】
【０００１】
本願発明は、ロックナットに関し、高速マシニングセンタ、高速ＮＣ旋盤、４軸加工機，５軸加工機等の複合加工機、その等の高速回転する工作機械の主軸の平行度、たわみ等を矯正する位置決め部品として用いられ、特に、当該主軸に取付けられた軸受等の被固定部材を位置決め固定する、ロックナットに関する。
【背景技術】
【０００２】
従来、たとえばマシニングセンタの主軸装置として、先端に工具が取付けられる中空状主軸と、主軸内に主軸に対して回転しないが、その軸方向に移動可能なように当該主軸と同軸線上に配設され、且つ、軸方向の移動により主軸先端への工具の着脱を行うドローバーとを具備したものが知られている。
このような主軸装置においては、主軸の内周面とドローバーの外周面との間に隙間が存在することは避けられないため、主軸およびドローバーを含む回転系が回転した場合に、ドローバーが当該隙間の分だけラジアル方向にがたついてその重心が主軸回転中心軸線上から外れることになる。したがって、上記回転系の重心が主軸の回転中心軸線上からずれて回転中に振動が生じ、その結果加工精度が低下するという問題があった。
そのため、従来、高速回転する工作機械の主軸においては、通常、主軸の振動低減のためバランス修正を行っている。この主軸の回転バランスの調整としては、主軸をバランシング装置に載せ、主軸の回転バランスを測定しながら、主軸の所要の部位に穴を設けること、あるいは、当該部位を研削することによって、主軸のバランス修正を行うものであった。この場合、主軸の回転バランス調整は、主軸頭組立前に、主軸単体の状態で調整されている。
ところが、このような主軸単体での回転バランスの調整では、主軸単体の回転バランスを調整しても、主軸に組み込まれる他の部品、例えば、主軸を回動自在に支持する軸受および当該軸受を位置決め固定するロックナット等の部品のアンバランスを調整することができなかった。そのため、毎分１万回転を越える、たとえば１０，０００ｒｐｍ〜３０，０００ｒｐｍの高速回転速度領域では、主軸に組み込まれる他の部品のアンバランスによって主軸の振動が大きくなるものであった。
そこで、特に、高速回転速度で回転させる工作機械の主軸の回転バランスを調整するのに好適な工作機械の回転バランス調整方法が提案されている（例えば、特許文献１参照）。すなわち、主軸の両端部にそれぞれ複数個のねじ穴を形成し、ドローバー、皿ばね、モータロータを組み付けた状態で、このねじ穴に重さが調整された試し錘を挿入した後、主軸を回転させて主軸の回転角と振動振幅を測定し、この測定結果に基づいて主軸の回転バランス調整を行っている。この場合、ドローバーの一端には、カラーが装着され、さらに、バランス調整用のねじ穴が形成されたナットが螺合されている。
この従来の回転バランス調整方法では、主軸を組立てた状態で、主軸の回転バランスを調整することができる。
【０００３】
【特許文献１】特開平６−１２６５８８号公報
【発明の開示】
【発明が解決しようとする課題】
【０００４】
しかしながら、最近では、さらに加工効率を高めるために、工作機械の主軸をより一層高速回転速度で回転させる傾向にあり、この傾向は今後一層高まるものと考えられ、この場合、毎分３万回転を越える、たとえば３０，０００ｒｐｍ〜５０，０００ｒｐｍの高速回転速度領域での工作機械の主軸の振動の低減化および静音化が希求されるものと考えられる。
しかし、このような高速回転速度領域では、主軸にたわみ等の変形が発生し、この主軸の変形によるアンバランスが起因となって、主軸の振動が増大することが問題点として予想される。
また、上記した従来技術によれば、高速回転速度領域で回転する主軸では、当該主軸の回転時に、バランス調整用のねじ穴に起因する風切り音により騒音が発生することも予想される。
そこで、本願発明者は、上記した事情を鑑み、高速回転速度領域での主軸の平行度、たわみ等の変形を矯正する位置決め部品として用いられるロックナットに着目して本願発明を考案するに至った。
【０００５】
すなわち、本願発明の主たる目的は、高速回転速度領域での主軸のたわみ等の変形を矯正し、当該主軸の低振動化および静音化に寄与する、ロックナットを提供することである。
【課題を解決するための手段】
【０００６】
請求項１に係る本願発明は、工作機械の主軸の雄ねじ部に螺合され、主軸に取付けられた被固定部材を位置決め固定するロックナットであって、その内周面に主軸の雄ねじ部と螺合される雌ねじ部を有するロックナット本体と、ロックナット本体の軸方向の一端側に形成され、被固定部材を主軸の軸方向に押圧する座面と、ロックナット本体の軸方向の他端側に形成される頂面と、ロックナット本体の頂面の円周方向に所定の間隔を隔てて、且つ、頂面からロックナット本体の軸方向に延びて配設される複数のバランス調整用のねじ穴と、ロックナット本体の頂面側からバランス調整用のねじ穴に装着され、主軸の回転バランスを調整するバランス調整用セットスクリューと、バランス調整用セットスクリューが装着されたバランス調整用のねじ穴に、バランス調整用のねじ穴を閉塞するようにして装着され、主軸の回転時の振動を低減させる制振用スクリュープラグを含むことを特徴とする、ロックナットである。
請求項１に係る本願発明では、複数のバランス調整用ねじ穴にバランス調整用セットスクリューが装着されることによって、主軸を含む回転系のラジアル方向へのがたつきが防止され、主軸の回転バランスが調整される。すなわち、バランス調整用セットスクリューは、主軸を含む回転系の重心の主軸回転中心軸線上からのずれを修正する。この場合、複数のバランス調整用ねじ穴の内で、主軸の回転中心軸線を挟んで当該主軸を含む回転系の重心がずれた方向とは反対方向に位置するバランス調整用ねじ穴にバランス調整用セットスクリューを装着することによって、主軸を含む回転系の重心の主軸回転中心軸線上からのずれが修正されることが好ましい。
また、バランス調整用セットスクリューを装着済みのバランス調整用ねじ穴に、制振用スクリュープラグが装着されると、主軸回転中の振動がさらに抑制される。つまり、バランス調整用セットスクリューと制振用スクリュープラグとの協働作用によって、主軸を含む回転系の振動がより一層低減されるものとなっている。この場合、当該バランス調整用ねじ穴は、制振用スクリュープラグによって閉塞されて、所謂、栓をして塞がれた状態となるため、非閉塞状態にある場合に比べて、風切り音による騒音の発生が低減され、主軸回転中の騒音を静音化することが可能となっている。
請求項２に係る本願発明は、主軸に取付けられた被固定部材を、請求項１に記載のロックナットにより位置決め固定することによって、主軸の回転バランスを調整することを特徴とする、主軸の回転バランス調整構造である。
請求項２に係る本願発明では、上記したロックナットを用いて、たとえば主軸を回動自在に支持する軸受等の被固定部材が位置決め固定可能となるので、主軸を含む回転系の回転バランスを適宜調整することが可能となっている。
【発明の効果】
【０００７】
本願発明よれば、超高速回転速度領域での主軸のたわみ変形を矯正し、当該主軸の低振動化および静音化を可能とする、ロックナットが得られる。
【０００８】
本願発明の上述の目的、その他の目的、特徴および利点は、図面を参照して行う以下の発明を実施するための最良の形態の説明から一層明らかとなろう。
【発明を実施するための最良の形態】
【０００９】
図１は、本願発明の実施形態の一例を示す要部断面図解図であり、図２は、図１のＡ部の詳細を示す拡大図解図であり、図３の（Ａ）は、図１のＢ部の詳細を示す拡大図解図であり、図３の（Ｂ）は、制振用スクリュープラグの斜視図解図であり、図５の（Ａ）は、ロックナット本体の正面図解図であり、図５の（Ｂ）は、図５の（Ａ）のＢ−Ｂ断面図解図であり、図５の（Ｃ）は、図５の（Ａ）のＣ−Ｃ断面図解図である。
本実施形態例に係るロックナット１０は、たとえば図１に示すように、工作機械の主軸５０の雄ねじ部５０Ａに螺合され、主軸５０に取付けられ、当該主軸５０をハウジング７０内の所定の位置に回動自在に支持する軸受６０（被固定部材）を位置決め固定するものである。
【００１０】
ロックナット１０は、たとえば図４および図５に示すように、その内周面に雌ねじ部１２を有する円筒形のロックナット本体１４を含む。ロックナット本体１４は、その軸方向の一端側に形成される座面１６と、その軸方向の他端側に形成される頂面１８とを有する。座面１６は、たとえば図１に示す軸受６０を主軸５０の軸方向から押圧する押圧面として形成されている。
【００１１】
ロックナット本体１４は、たとえば図４および図５の（Ｂ），（Ｃ）に示すように、ロックナット本体１４の軸方向に対して直交するリング状溝部２０を含む。ロックナット本体１４の雌ねじ部１２は、リング状溝部２０によって、第１雌ねじ部１２ａを有する座面１６側の第１ロックナット部２２と、第２雌ねじ部１２ｂを有する頂面１８側の第２ロックナット部２４とに区画され、ロックナット本体１４の雌ねじ部１２は、座面１６側の第１雌ねじ部１２ａと頂面１８側の第２雌ねじ部１２ｂとに分割されている。この場合、第１雌ねじ部１２ａの長さは、第２雌ねじ部１２ｂの長さよりも長く形成されている。つまり、第１雌ねじ部１２ａのねじの条数は、第２雌ねじ部１２ｂのねじの条数よりも多く形成されている。
この場合、発明者の荷重試験によれば、第１雌ねじ部１２ａのねじの条数が第２雌ねじ部１２ｂのねじの条数よりも多く形成されるほど、軸荷重に耐える力が大きくなることが実証されている。また、このロックナット本体１４では、リング状溝部２０により、雌ねじ部１２が、第１雌ねじ部１２ａと第２雌ねじ部１２ｂとに分割されて、第２雌ねじ部１２ｂの長さが第１雌ねじ部１２ａの長さよりも短く形成されているため、規定の締め付けトルクを掛けて、このロックナット本体１４を主軸５０へ押入する場合（たとえば図１参照。）、第２雌ねじ部１２ｂのねじ山の変形が大きくなる。そのため、このロックナット本体１４では、第２雌ねじ部１２ｂのフランク面による主軸５０の雄ねじ部５０Ａに対する面圧を増大させ、ロックナット本体１４の雌ねじ部１２と主軸５０との緩み止め作用がより一層発揮される。
【００１２】
第１ロックナット部２２は、その外周面のリング状溝部２０寄りの位置から、ロックナット本体１４の軸方向に直交する方向に配設された環状のスリット溝部２６を含む。このスリット溝部２６は、第１ロックナット部２２の外周端面から第２雌ねじ部１２ｂの近傍まで延び設けられている。また、第１ロックナット部２２は、その外周面の円周方向に所定の間隔を隔てて、複数のバカ穴２８を有する。これらのバカ穴２８は、当該ロックナット本体１４をたとえば図１に示す主軸５０に取付ける際に用いられるフックスパナ等の専用スパナ（図示せず）を係合させるためのものである。
同様の機能を有する複数のバカ穴３０が、第２ロックナット部２４の頂面にも配設されている。複数のバカ穴３０は、特に、図４および図５の（Ｂ）に示すように、ロックナット本体１４の頂面の円周方向に所定の間隔を隔てて配設されている。なお、本実施形態例では、バカ穴２８およびバカ穴３０は、それぞれ、たとえば６個ずつ形成されている。
【００１３】
また、ロックナット本体１４は、その座面１６の円周方向に所定の間隔を隔てて、複数の締め付け用のねじ穴３２を有している。各締め付け用のねじ穴３２は、ロックナット本体１４の軸方向に延びて設けられ、第１ロックナット部２２の側端面（ロックナット本体１４の座面１６）からスリット溝部２６に亘って設けられている。
一方、ロックナット本体１４の頂面１８には、上記した各締め付け用のねじ穴３２と対向する部位に、複数の締め付け用の挿入穴３４が配設されている。複数の締め付け用の挿入穴３４は、頂面１８の円周方向に所定の間隔を隔てて配設され、それぞれ、第１ロックナット部２２の側端面（ロックナット本体１４の頂面１８）から、リング状溝部２０を経由してスリット溝部２６まで到達するものとなっている。複数の締め付け用の挿入穴３４は、それぞれ、当該頂面１８寄りに、後述する締め付け用セットスクリュー４０の頭部４２が入る座ぐり穴部３６を有するものである。
上記した各締め付け用のねじ穴３２と各締め付け用の挿入穴３４とは、同一軸線上に配設されて連接され、後述する締め付け用セットスクリュー４０が、締め付け用の挿入穴３４から挿入され、締め付け用のねじ穴３２に螺合されるものとなっている。なお、本実施形態例では、複数の締め付け用のねじ穴３２および締め付け用の挿入穴３４は、それぞれ、たとえば６個形成されている。
【００１４】
さらに、ロックナット本体１４は、その頂面１８の円周方向に所定の間隔を隔てて、複数のバランス調整用のねじ穴３８を有するものである。複数のバランス調整用のねじ穴３８は、それぞれ、ロックナット本体１４の軸方向に延びて設けられ、第２ロックナット部２４の側端面（ロックナット本体１４の頂面１８）からリング状溝部２０に亘って設けられている。
【００１５】
これらのバランス調整用のねじ穴３８には、頂面１８側から後述するバランス調整用セットスクリュー４６が挿入され、螺合されるものとなっている。バランス調整用のねじ穴３８の軸方向の長さは、当該バランス調整用セットスクリュー４６の軸方向の長さよりも長く形成されている。
【００１６】
さらに、ロックナット本体１４には、バランス調整用のねじ穴３８にバランス調整用セットスクリュー４６を挿入して螺合させた後で、当該バランス調整用のねじ穴３８に、バランス調整用のねじ穴を閉塞するようにして、後述する制振用スクリュープラグ４８が挿入され、螺合されるものとなっている。
【００１７】
そこで、次に、上記したロックナット１０を用いて、工作機械の主軸５０の回転バランスを調整する主軸の回転バランス調整構造の一例について、図１，図２，図３および図４，図５を参照しながら以下、説明する。
すなわち、図１〜図３に示す本実施形態例に係る主軸の回転バランス調整構造１００は、たとえば中空状の主軸５０を含む。主軸５０は、その軸方向の中間部および両側部の複数箇所が、複数の軸受６０によって、たとえば厚肉円筒状のハウジング７０に対して回転自在に支持されている。軸受６０としては、アンギュラ玉軸受、深溝玉軸受、円すいころ軸受等のラジアル荷重と少なくとも一方向のスラスト荷重を受ける、たとえば転がり軸受が用いられている。
ハウジング７０は、主軸頭（図示せず）または主軸台（図示せず）等の工作機械本体（図示せず）に固定されている。ハウジング７０内には、主軸５０を回転させるための駆動装置としてのたとえばビルトイン型の電動機（図示せず）が配設されている。電動機（図示せず）は、主軸５０の外周に配設されたロータ（図示せず）と、その周囲のハウジング（図示せず）の内周に設けられたステータ（図示せず）とで構成されている。
【００１８】
主軸５０は、その外周面に雄ねじ部５０Ａを含み、この雄ねじ部５０Ａには、上記したロックナット本体１４の雌ねじ部１２が螺合される。
本実施形態例では、ロックナット本体１４の座面１６によって、軸受６０の内輪６２が押圧・固定される。すなわち、ロックナット本体１４の複数の締め付け用の挿入穴３４には、図１に示すように、それぞれ、締め付け用セットスクリュー４０が挿入される。この場合、締め付け用セットスクリュー４０は、特に、図２に示すように、その頭部４２が座ぐり穴部３６に嵌入され、その軸部４４のねじ部４４ａが締め付け用のねじ穴３２に螺合されるものである。
【００１９】
締め付け用セットスクリュー４０を締め付けると、リング状溝部２０およびスリット溝部２６の間隔が強制的に狭められて、第１ロックナット部２２と第２ロックナット部２４とは、その弾性復元力によって、その第１雌ねじ部１２ａおよび第２雌ねじ部１２ｂのフランクが、それぞれ、主軸５０の雄ねじ部５０Ａに対する面圧を増大させ、ロックナット本体１４の雌ねじ部１２との緩み止め作用をより強固なものとする。
【００２０】
また、本実施形態例では、図１に示すように、ロックナット本体１４のバランス調整用のねじ穴３８に、頂面１８側からバランス調整用セットスクリュー４６が挿入され、螺合される。バランス調整用セットスクリュー４６は、特に、図３に示すように、その先端部が第１ロックナット部２２の座面１６とは反対側の側面１７に押圧されるように、そのねじ部４６ａがバランス調整用のねじ穴３８に螺合されるものである。
【００２１】
複数のバランス調整用ねじ穴３８にバランス調整用セットスクリュー４６が装着されることによって、主軸５０を含む回転系のラジアル方向へのがたつきが防止され、主軸５０の回転バランスが調整される。つまり、バランス調整用セットスクリュー４６によって、主軸５０を含む回転系の重心の主軸回転中心軸線上からのずれが修正される。この場合、複数のバランス調整用ねじ穴３８の内で、主軸５０の回転中心軸線を挟んで当該主軸５０を含む回転系の重心がずれた方向とは反対方向に位置するバランス調整用ねじ穴３８にバランス調整用セットスクリュー４６を装着することによって、主軸５０を含む回転系の重心の主軸回転中心軸線上からのずれが修正される。
【００２２】
さらに、本実施形態例では、特に、図３の（Ａ）に示すように、バランス調整用セットスクリュー４６をバランス調整用のねじ穴３８に挿入して螺合させた後で、バランス調整用のねじ穴３８を閉塞するようにして、バランス調整用のねじ穴３８に制振用スクリュープラグ４８が挿入され、螺合される。この制振用スクリュープラグ４８は、頭部にすり割り４８ａを有し、ねじ部４８ｂがバランス調整用のねじ穴３８に螺合されるものである。本実施形態例では、制振用スクリュープラグ４８が、ポリカーボネートファイバー等の弾性を有し、耐衝撃性のある弾性を有する材料で形成されている。
【００２３】
バランス調整用セットスクリュー４６を装着済みのバランス調整用ねじ穴３８に、制振用スクリュープラグ４８が装着されると、主軸５０の回転中の振動がさらに抑制されるものとなる。すなわち、バランス調整用セットスクリュー４６と制振用スクリュープラグ４８との協働作用により、主軸５０を含む回転系の振動がより一層低減されるものとなる。
【００２４】
この場合、バランス調整用ねじ穴３８は、制振用スクリュープラグ４８によって閉塞される。つまり、バランス調整用ねじ穴３８は、所謂、栓をして塞がれた状態となるため、当該バランス調整用ねじ穴３８が非閉塞状態にある場合に比べて、たとえば風切り音に起因する騒音の発生が低減され、主軸５０の高速回転中の騒音を抑制し、静音化することができるものとなっている。
【００２５】
上述したように図１〜図３に示す実施形態例では、上記したロックナット１０を用いて、主軸５０を回動自在に支持する軸受６０等の被固定部材が位置決め固定可能となるため、主軸５０を含む回転系の回転バランスを適宜調整することができる。すなわち、本実施形態例に係るロックナット１０は、高速回転する工作機械の主軸５０の平行度、たわみ等の変形を矯正する位置決め部品として用いられて好適なものとなる。
【００２６】
図６の（Ａ）は、ロックナット本体の他の例を示す正面図解図であり、図６の（Ｂ）は、図６の（Ａ）のＢ−Ｂ断面図解図である。
図６に示すロックナット本体１５は、図５に示すロックナット本体１４と比べて、特に、雌ねじ部１２の一部分に、ロックナット本体１５の軸方向に対して平行な複数の切り欠き溝部２３と、当該ロックナット本体１５の軸方向に直交する方向で、且つ、当該ロックナット本体１５の外周面から切り欠き溝部２３に連通する複数の締め付け用のねじ穴２７とを含み、切り欠き溝部２３に黄銅等の弾性を有する金属材料で形成されたロッキングメタル２５が挿入されている点で相違している。締め付け用のねじ穴２７には、締め付け用セットスクリュー４０が挿入され螺合される。なお、ロックナット本体１５は、その外周面の円周方向に所定の間隔を隔てて、複数の凹溝からなる係合穴３９を有する。これらの係合穴３９は、当該ロックナット本体１５をたとえば図１に示す主軸５０に取付ける際に用いられるフックスパナ等の専用スパナ（図示せず）を係合させるためのものである。
図６に示すロックナット本体１５を上記した主軸５０の雄ねじ部５０Ａに螺合させて取付けた後、締め付け用セットスクリュー４０締め付けると、ロッキングメタル２５が主軸５０の雄ねじ部５０Ａのフランク面を押圧し、当該ロックナット本体１５の緩み止め機能が作用するものとなっている。
また、図６に示すロックナット本体１５においても、ロックナット本体１５の頂面１８の円周方向に配設されたバランス調整用のねじ穴３９に、バランス調整用セットスクリュー４６と制振用スクリュープラグ４８とが装着されることによって、上述した実施形態例と同様の作用・効果を有するものである。
【図面の簡単な説明】
【００２７】
【図１】本願発明に係る実施形態の一例を示す要部断面図解図である。
【図２】図１のＡ部の詳細を示す拡大図解図である。
【図３】図３の（Ａ）は、図１のＢ部の詳細を示す拡大図解図であり、図３の（Ｂ）は、制振用スクリュープラグの斜視図解図である。
【図４】ロックナット本体を示す斜視図解図である。
【図５】図５の（Ａ）は、ロックナット本体の正面図解図であり、図５の（Ｂ）は、図５の（Ａ）のＢ−Ｂ断面図解図であり、図５の（Ｃ）は、図５の（Ａ）のＣ−Ｃ断面図解図である。
【図６】図６の（Ａ）は、ロックナット本体の他の例を示す正面図解図であり、図６の（Ｂ）は、図６の（Ａ）のＢ−Ｂ断面図解図である。
【符号の説明】
【００２８】
１０  ロックナット
１２  雌ねじ部
１２ａ  第１雌ねじ部
１２ｂ  第２雌ねじ部
１４  ロックナット本体
１６  座面
１８  頂面
２０  リング状溝部
２２  第１ロックナット部
２４  第２ロックナット部
２６  スリット溝部
２８，３０  バカ穴
３２  締め付け用のねじ穴
３４  締め付け用の挿入穴
３６  座ぐり穴
３８  バランス調整用のねじ穴
４０  締め付け用セットスクリュー
４２  締め付け用セットスクリューの頭部
４４  締め付け用セットスクリューの軸部
４４ａ  締め付け用セットスクリューのねじ部
４６  バランス調整用セットスクリュー
４８  制振用スクリュープラグ
５０  工作機械の主軸
５０Ａ  主軸の雄ねじ部
６０  軸受
７０  ハウジング
１００  主軸の回転バランス調整構造
【図１】
2009281426.tif 000003
【図２】
2009281426.tif 000004
【図３】
2009281426.tif 000005
【図４】
2009281426.tif 000006
【図５】
2009281426.tif 000007
【図６】
2009281426.tif 000008